(57)【要約】【課題】  複数の階層のネットワークを経由するパスを迅速に設定可能なネットワーク管理システムを提供する。【解決手段】  クライアントネットワークおよびサーバネットワークに関するネットワーク管理データを保持する管理情報保持手段と、ネットワーク管理データによってクライアントネットワークとサーバネットワークとの接続点であることが示されるアクセスポイントに関する情報を保持する接続点情報保持手段と、アクセスポイントに関する情報およびネットワーク管理データに基づいて、予め、全てのアクセスポイントの組み合わせについて、それぞれ適切な経路を探索する経路探索手段と、経路探索手段によって探索された経路をデフォルトルートとして保持するデフォルトルート保持手段と、サーバネットワークにおける経路を設定する際に、経路の端点となるアクセスポイントの組み合わせについてデフォルトルート保持手段からデフォルトルートを検索するルート検索手段とを備える。【選択図】      図１
2005094222.tif 000002
【特許請求の範囲】
【請求項１】
クライアントネットワークとサーバネットワークとからなる複合ネットワークを管理するネットワーク管理システムにおいて、
前記クライアントネットワークおよび前記サーバネットワークを構成する構成要素およびそのつながりに関するネットワーク管理データを保持する管理情報保持手段と、
前記管理情報保持手段に保持されたネットワーク管理データによって前記クライアントネットワークと前記サーバネットワークとの接続点であることが示されるアクセスポイントに関する情報を保持する接続点情報保持手段と、
前記接続点情報保持手段に保持されたアクセスポイントに関する情報および前記管理情報保持手段に保持されたネットワーク管理データに基づいて、予め、全てのアクセスポイントの組み合わせについて、それぞれ適切な経路を探索する経路探索手段と、
前記全てのアクセスポイントの組み合わせについて前記経路探索手段によって探索された経路をデフォルトルートとして保持するデフォルトルート保持手段と、
前記サーバネットワークにおける経路を設定する際に、前記経路の端点となるアクセスポイントの組み合わせについて前記デフォルトルート保持手段に保持されたデフォルトルートを検索するルート検索手段と
を備えたことを特徴とするネットワーク管理システム。
【請求項２】
請求項１に記載のネットワーク管理システムにおいて、
前記管理情報保持手段に保持されたネットワーク管理データに基づいて、前記接続点情報保持手段に保持された情報で示される全てのアクセスポイントについて互いに物理的に接続可能であるか否かを調べ、この結果に基づいて前記全てのアクセスポイントを少なくとも一つのグループに分類し、それぞれのグループに属するアクセスポイントに関する情報を前記接続点情報保持手段に前記グループごとに保持させる分類手段を備えた
ことを特徴とするネットワーク管理システム。
【請求項３】
請求項１に記載のネットワーク管理システムにおいて、
前記管理情報保持手段に保持されたネットワーク管理データが更新されたときに、更新されたネットワーク管理データに基づいて、前記接続点情報保持手段に保持されたアクセスポイントに関する情報を更新する更新手段と、
前記更新手段によって新たなアクセスポイントが接続点情報保持手段に保持されたときに、前記経路探索手段に前記新たなアクセスポイントに関するデフォルトルートの探索を指示する探索指示手段と、
前記探索指示手段による指示に応じて前記経路探索手段によって新たなアクセスポイントに対応して探索されたデフォルトルートを前記デフォルトルート保持手段に追加するルート追加手段と
を備えたことを特徴とするネットワーク管理システム。
【発明の詳細な説明】
【技術分野】
【０００１】
本発明は、それぞれが異なる伝送技術に基づいて構築された複数のネットワークを統合管理するネットワーク管理システムに関する。
【背景技術】
【０００２】
階層的に構築された複合ネットワークでは、クライアントネットワークとサーバネットワークとが異なる伝送技術に基づいている場合がある。
例えば、図８(ａ)に示した複合ネットワークにおいて、クライアントネットワークにおいて適用されている伝送方式は、同期ディジタルハイアラーキ（ＳＤＨ）であるのに対して、サーバネットワークにおいて適用されている伝送方式は、波長分割多重化（ＷＤＭ）である。
【０００３】
図９に、階層的なネットワークを統合管理するネットワーク管理システムの構成例を示す。
図９において、ネットワーク管理部４０１は、通信制御部４０２およびインターネットあるいは電話網を介して監視対象である複合ネットワークを構成する各伝送装置(ノード)と通信し、各ノードに必要なコマンドなどを送るとともに各ノードに関する情報を収集し、収集した情報からネットワークに属するノード、リンクおよび終端点などの構成要素およびこれらのつながりを示すネットワーク管理データを編成して、データベース４０３に格納して管理する。ネットワーク管理データは、例えば、図１０に示すように、ノードテーブル、終端点テーブルおよびリンクテーブルとしてデータベース４０３に格納される。図１０において、ノードテーブルは、複合ネットワークに属する各ノードについて、そのノードが属するレイヤを示す情報やそのノードに備えられている終端点を示す終端点リストおよびそのノードに接続されているリンクを示すリンクリストを含んでいる。また、図１０において、終端点テーブルは、各終端点について、その終端点が属するレイヤおよびノードを示す情報と、その終端点がかかわるリンクを示す情報とを含んでいる。また、図１０に示したリンクテーブルは、各リンクについて、そのリンクの種別を示す情報と、そのリンクが結んでいる終端点を示す情報とを含んでいる。なお、図１０に示したネットワーク管理データの例において、各終端点は、その終端点が属するノードに付された番号とそのノードにおいて終端点に与えられた一意の番号との組み合わせで示す。また、各リンクは、ネットワークにおいて一意の番号を付して示す。
【０００４】
ところで、このように複合的なネットワークをレイヤごとに管理するネットワーク管理システムでは、図８(ｂ)に示すように、クライアントネットワークに属する伝送装置であるノード（例えば、ノード１）とサーバネットワークに属する伝送装置であるノード（例えば、ノード２）とが接続されている場合に、これらのノードに備えられた終端点を接続するレイヤ間リンクのサーバネットワーク側の終端点を、特に、アクセスポイントと呼んでいる。例えば、図８（ｂ）に示した例では、ノード１に備えられた終端点１１、終端点１２とノード２に備えられた終端点２１およびノード３に備えられた終端点３１とがそれぞれリンク１およびリンク２によって接続されている。この場合に、リンク１およびリンク２の種別は、レイヤ間リンクであり、また、ノード２の終端点２１およびノード３の終端点３１はアクセスポイントである。
【０００５】
クライアントネットワークとサーバネットワークとの接続点であるアクセスポイントは、レイヤ間リンクの生成（削除）をトリガとして生成（削除）される。したがって、図９に示したアクセスポイント管理部４０４は、ネットワーク管理部４０１からレイヤ間リンクの生成（削除）が通知されたときに、データベース４０３に保持したアクセスポイント管理データを更新して管理する。
【０００６】
また、図９において、パス管理部４０５は、ユーザインタフェース部４０６を介して受け取った指示に応じて、監視対象の複合ネットワークにおけるユーザパスの設定および削除を管理し、ユーザパスの管理にかかわるパス管理データをデータベース４０３に保持して管理する。
このパス管理部４０５による管理の下で、ネットワーク管理部４０１が通信制御部４０２を介して必要なコマンドなどを適切な伝送装置に送ることにより、ユーザインタフェース部４０６からの指示に応じたパスの設定および削除が実現されている。
【０００７】
例えば、オペレータがオペレータ端末を操作して、図８(ａ)に示したクライアントネットワークに属するノード１からノード８へのパスを設定する旨を指示した場合に、この指示に応じたパス設定は、以下のようにして実現される。
パス管理部４０５は、まず、データベース４０３に格納されたネットワーク管理データおよびアクセスポイント管理データに基づいて、ノード１およびノード８にそれぞれ最寄りのアクセスポイントを検出し、サーバネットワークにおいてこれらのアクセスポイントを結ぶ経路を探索する。
【０００８】
このとき、パス管理部４０５に備えられた経路探索部４１１は、データベース４０３に格納されたネットワーク管理データに基づいて、検出されたアクセスポイントの一方につながる経路を総当りして、他方のアクセスポイントにつながる最短経路を探索している。
なお、ネットワーク管理システムに関する一般的な事項については、例えば、特許文献１および特許文献２を参照されたい。
【特許文献１】特願平１１−７４９３７号公報
【特許文献２】特願２００１−３６５８７号公報
【発明の開示】
【発明が解決しようとする課題】
【０００９】
ところで、図８に示したように、サーバネットワークが分断されている場合には、サーバネットワークにおいて適切なパスを設定することができないこともある。例えば、図８（ａ）に示したサーバネットワークに属するノード２とノード３とは、それぞれ物理的に分断されたネットワークに属しているので、サーバネットワークにおいてこれらを結ぶ経路を設定することは原理的に不可能である。
【００１０】
しかしながら、上述した従来のネットワーク管理システムでは、アクセスポイント管理部４０４によって管理されているアクセスポイント相互の接続可能性は、サーバネットワークを経由するパスの設定が要求されたときに初めて意識されていた。このため、指定された２つのアクセスポイント間を結ぶ経路が存在する可能性があるか否かにかかわらず、全ての経路を順次に調べていた。したがって、指定された二つのアクセスポイントが、上述した例のように分断されたネットワークにそれぞれ属していることも、パスの探索処理を進めてからでなければ分からなかった。つまり、そのパス設定が不可能であるという結果を得るために、無駄な処理を行ってしまう場合があった。
【００１１】
また、それぞれ異なる伝送技術に基づいて構築されたネットワークが複合している場合にこれらのネットワークを貫く経路を設定する際には、それぞれの伝送技術に適した方法を用いて経路探索を行う必要があるので、単一のテクノロジに基づいて構築されたネットワークにおいて経路探索を行う場合よりも、経路探索そのものに要する時間が長くなってしまう。
【００１２】
本発明は、階層的に構築されたネットワークにおいて、複数の階層のネットワークを経由するパスを迅速に設定可能なネットワーク管理システムを提供することを目的とする。
【課題を解決するための手段】
【００１３】
本発明にかかわる第１のネットワーク管理システムは、管理情報保持手段と、接続点情報保持手段と、経路探索手段と、デフォルトルート保持手段と、ルート検索手段とから構成される。
本発明にかかわる第１のネットワーク管理システムの原理は、以下の通りである。
クライアントネットワークとサーバネットワークとからなる複合ネットワークを管理するネットワーク管理システムにおいて、管理情報保持手段は、クライアントネットワークおよびサーバネットワークを構成する構成要素およびそのつながりに関するネットワーク管理データを保持する。接続点情報保持手段は、管理情報保持手段に保持されたネットワーク管理データによってクライアントネットワークとサーバネットワークとの接続点であることが示されるアクセスポイントに関する情報を保持する。経路探索手段は、接続点情報保持手段に保持されたアクセスポイントに関する情報および管理情報保持手段に保持されたネットワーク管理データに基づいて、予め、全てのアクセスポイントの組み合わせについて、それぞれ適切な経路を探索する。デフォルトルート保持手段は、全てのアクセスポイントの組み合わせについて経路探索手段によって探索された経路をデフォルトルートとして保持する。ルート検索手段は、サーバネットワークにおける経路を設定する際に、経路の端点となるアクセスポイントの組み合わせについてデフォルトルート保持手段に保持されたデフォルトルートを検索する。
【００１４】
このように構成された第１のネットワーク管理システムの動作は、下記の通りである。
経路探索手段は、例えば、ネットワーク管理システムの立ち上げ時などに、接続点情報保持手段および管理情報保持手段を参照し、アクセスポイントに関する情報およびネットワーク管理データに基づいて、全てのアクセスポイントの組み合わせについてそれぞれ最短の経路を探索し、これらの経路をアクセスポイントの組み合わせに対応してデフォルトルート保持手段に保持する。したがって、ネットワーク管理システムの運用が開始されたときには、既に、経路が設定可能なアクセスポイントの組み合わせごとに、デフォルトルート保持手段に適切なデフォルトルートが保持されている。故に、ルート検索手段は、オペレータによって経路の端点として指定されたアクセスポイントの組み合わせに対応するデフォルトルートをデフォルトルート保持手段から検索することにより、適切な経路あるいは経路が存在しない旨を示す検索結果を即座に返すことができる。
【００１５】
また、本発明にかかわる第２のネットワーク管理システムは、上述した第１のネットワーク管理システムに、更に、分類手段を備えて構成される。
本発明にかかわる第２のネットワーク管理システムの原理は、以下の通りである。
分類手段は、管理情報保持手段に保持されたネットワーク管理データに基づいて、接続点情報保持手段に保持された情報で示される全てのアクセスポイントについて互いに物理的に接続可能であるか否かを調べ、この結果に基づいて全てのアクセスポイントを少なくとも一つのグループに分類し、それぞれのグループに属するアクセスポイントに関する情報を接続点情報保持手段にグループごとに保持させる。
【００１６】
このように構成された第２のネットワーク管理システムの動作は、下記の通りである。
分類手段は、接続点情報保持手段に保持された情報とネットワーク管理データとに基づいて、全てのアクセスポイントを分類することにより、例えば、サーバネットワークが互いに物理的に分断された複数のネットワークから構成されている場合に、それぞれのネットワークに属するアクセスポイントからなるグループを形成し、これらのグループごとにそれに属するアクセスポイントに関する情報を接続点情報保持手段に保持させる。このとき、異なるグループに属するアクセスポイントを結ぶ経路が存在しないことは明らかであるので、経路探索手段は、グループごとにそのグループに属するアクセスポイントの全ての組み合わせについてデフォルトルートを探索すれば十分である。
【００１７】
本発明にかかわる第３のネットワーク管理システムの原理は、以下の通りである。
上述した第２のネットワーク管理システムにおいて、更新手段は、管理情報保持手段に保持されたネットワーク管理データが更新されたときに、更新されたネットワーク管理データに基づいて、接続点情報保持手段に保持されたアクセスポイントに関する情報を更新する。再編成指示手段は、更新手段によってアクセスポイントに関する情報に関する更新および管理情報保持手段におけるサーバネットワークに関するネットワーク管理データの更新に応じて、分類手段に接続点情報保持手段の記憶内容の再編成を指示する。
【００１８】
このように構成された第３のネットワーク管理システムの動作は、下記の通りである。
ネットワーク管理データの更新に応じて、更新手段は、接続点情報保持手段に、新たに形成されたアクセスポイントに関する情報の追加あるいは削除されたアクセスポイントに関する情報の削除を行う。また、この更新手段によってアクセスポイントに関する情報が更新されたときおよびサーバネットワークに関するネットワーク管理データが更新されたときに、再編成指示手段による指示に応じて、分類手段は、接続点情報保持手段内の情報を再び分類する。このようにしてアクセスポイントに関する情報を再び分類することにより、新たに追加されたアクセスポイントを適切なグループに追加するとともに、サーバネットワークにおけるノードやリンクの追加や削除に応じて、アクセスポイントのグループを再編成し、ネットワーク構成の変化を接続点情報保持手段の記憶内容に反映する。
【００１９】
また、第４のネットワーク管理システムは、上述した第１のネットワーク管理システムに加えて、更に、更新手段と、探索指示手段と、ルート追加手段とを備えて構成される。
本発明にかかわる第４のネットワーク管理システムの原理は、以下の通りである。
上述した第１のネットワーク管理システムにおいて、更新手段は、管理情報保持手段に保持されたネットワーク管理データが更新されたときに、更新されたネットワーク管理データに基づいて、接続点情報保持手段に保持されたアクセスポイントに関する情報を更新する。探索指示手段は、更新手段によって新たなアクセスポイントが接続点情報保持手段に保持されたときに、経路探索手段に新たなアクセスポイントに関するデフォルトルートの探索を指示する。ルート追加手段は、探索指示手段による指示に応じて経路探索手段によって新たなアクセスポイントに対応して探索されたデフォルトルートをデフォルトルート保持手段に追加する。
【００２０】
このように構成された第４のネットワーク管理システムの動作は、下記の通りである。
監視対象のネットワークの構成要素やそのつながりが変化すると、その変化は管理情報保持手段に保持されたネットワーク管理データに反映される。このとき、更新手段は、監視対象のネットワークに新たに形成されたアクセスポイントに関する情報を接続点情報保持手段に追加し、一方、削除されたアクセスポイントに関する情報を接続点情報保持手段から削除する。この更新手段によって新たなアクセスポイントに関する情報が追加された場合には、探索指示手段による指示に応じて経路探索手段がこの新たなアクセスポイントと他のアクセスポイントとを結ぶデフォルトルートを探索し、これらのデフォルトルートがルート追加手段によってデフォルトルート保持手段に保持されたデフォルトルートに追加される。したがって、以降に、クライアントネットワークに属するノードからからサーバネットワークを経由してクライアントネットワークに属するノードに至る経路の設定が要求されたときには、上述したようにして新たに追加されたアクセスポイントにかかわるデフォルトルートもルート検索手段による検索に供される。
【００２１】
また、本発明にかかわる第５のネットワーク管理システムは、上述した第４のネットワーク管理システムに加えて、更に、分類手段と、再編成指示手段とを備え、探索指示手段に、抽出手段と、限定指示手段とを備えて構成される。
本発明にかかわる第５のネットワーク管理システムの原理は、以下の通りである。
上述した第４のネットワーク管理システムにおいて、分類手段は、管理情報保持手段に保持されたネットワーク管理データに基づいて、接続点情報保持手段に保持された情報で示される全てのアクセスポイントについて互いに物理的に接続可能であるか否かを調べ、この結果に基づいて全てのアクセスポイントを少なくとも一つのグループに分類し、それぞれのグループに属するアクセスポイントに関する情報を接続点情報保持手段にグループごとに保持させる。再編成指示手段は、更新手段によってアクセスポイントに関する情報に関する更新および管理情報保持手段におけるサーバネットワークに関するネットワーク管理データの更新に応じて、分類手段に接続点情報保持手段の記憶内容の再編成を指示する。探索指示手段において、抽出手段は、再編成指示手段による指示に応じて分類手段によって再編成された接続点情報保持手段から新たに追加されたアクセスポイントが属するグループに含まれているアクセスポイントに関する情報を抽出する。探索指示手段において、限定指示手段は、抽出手段によって抽出された情報で示される各アクセスポイントと新たに追加されたアクセスポイントとを結ぶ経路に限定した探索を経路探索手段に指示する。
【００２２】
このように構成された第５のネットワーク管理システムの動作は、下記の通りである。
接続点情報保持手段に保持されたアクセスポイントに関する情報は、分類手段によって少なくとも一つのグループに分類される。更に、ネットワーク構成が変化した際の再編成指示手段からの指示に応じて分類手段が再びアクセスポイントに関する情報を分類することにより、新たなアクセスポイントの追加やサーバネットワークにおける新たなリンクの形成によってサーバネットワークの構成に変化が起こったときに、接続点情報保持手段においてグループが再編成され、アクセスポイントのグループ構成にネットワーク構成の変化が反映される。ここで、新たに追加されたアクセスポイントに関して設定可能な経路は、もちろん、このようにして再編成された接続点情報保持手段において、新たなアクセスポイント同じグループに属するアクセスポイントと新たなアクセスポイントとを結ぶ経路であることは明らかである。したがって、探索指示手段において、抽出手段によって新たなアクセスポイント同じグループに属するアクセスポイントに関する情報を抽出し、限定指示手段により、新たなアクセスポイントとこれらのアクセスポイントのそれぞれとを結ぶ経路の探索を経路探索手段に指示することにより、新たなアクセスポイントにかかわるデフォルトルートをもれなく探索してデフォルトルート保持手段に保持し、ルート検索手段による検索処理に供することができる。
【発明の効果】
【００２３】
上述した第１のネットワーク管理システムによれば、サーバネットワークにおいて物理的に経路を設定可能な全てのアクセスポイントの組み合わせについて、予め、デフォルトルートを用意しているので、これらのデフォルトルートから適切なものを検索することによって、オペレータからのパス設定要求に極めて迅速に応えることができる。当然ながら、オペレータからの要求の度にルート探索を行う必要はないので、サーバネットワークとクライアントネットワークとのテクノロジの相違にかかわらず、パス設定に要する時間を大幅に短縮することができる。
【００２４】
また、第２のネットワーク管理システムによれば、アクセスポイントを物理的な接続可能性に基づいて、複数のグループに分けて管理することができるので、例えば、デフォルトルートの探索範囲を各グループに属するアクセスポイント同士に限定し、デフォルトルートの探索処理に要する処理量を大幅に削減することができる。
更に、第３のネットワーク管理システムによれば、ネットワーク構成の変化に応じて、アクセスポイントのグループを自動的に再編成し、デフォルトルートの再設定に供することができる。
【００２５】
また、第４のネットワーク管理システムによれば、アクセスポイントの追加に応じて、新たなアクセスポイントにかかわるデフォルトルートを自動的に追加することができるので、新たなアクセスポイントにかかわるオペレータからの経路設定要求にも迅速に応えることができる。
更に、第５のネットワーク管理システムによれば、アクセスポイントの追加に応じて新たなアクセスポイントにかかわるデフォルトルートを探索する際に、経路探索の範囲を、新たなアクセスポイントとこれが属するグループに含まれるアクセスポイントとの組み合わせに限定することができるので、デフォルトルートの追加に要する処理量を大幅に削減することができる。
【発明を実施するための最良の形態】
【００２６】
以下、図面に基づいて、本発明の実施形態について詳細に説明する。
図１に、本発明にかかわるネットワーク管理システムの第１の実施形態を示す。
なお、図１に示した構成要素のうち、図９に示した各部と同等のものについては、図９に示した符号を付して示し、その説明を省略する。
図１に示したネットワーク管理システム（ＮＭＳ）２１０は、図９に示したネットワーク管理部４０１、アクセスポイント管理部４０４およびパス管理部４０５に代えて、ネットワーク管理部２０１、アクセスポイント管理部２１２およびパス管理部２１１を備えて構成されている。
【００２７】
図１に示したアクセスポイント管理部２１２は、図９に示したアクセスポイント管理部４０４と同等の機能に加えて、アクセスポイントを互いの接続可能性に基づいて少なくとも一つのグループに分類し、データベース４０３に登録されたアクセスポイント管理データをこれらのグループごとに管理する機能を備えている。
図１に示したネットワーク管理部２０１は、図９に示したネットワーク管理部４０１と同等の機能に加えて、被監視ネットワークの構成変化を、アクセスポイントのグループ分類に反映させる機能を備えている。
【００２８】
また、図１に示したルート探索部２１９は、図９に示した経路探索部４１１とほぼ同等の機能を備えており、各部からの依頼に応じて経路探索処理を行い、アクセスポイント管理データおよびネットワーク管理データに基づいて、指定された終端点を結ぶ経路を探索する。
図１に示したデフォルトルート管理部２１７は、上述したルート探索部２１９の機能を利用して、各グループに属する全てのアクセスポイントの組み合わせを結ぶ経路として想定されるデフォルトルートを構成する経路情報を収集し、これらの経路情報を含むデフォルトルート管理データをデータベース４０３に格納してこれを管理する。
【００２９】
また、図１に示したパス管理部２１１は、図９に示したパス管理部４０５と同様に、ユーザインタフェース部４０６からの指示に応じて、指定されたノードを結ぶ経路の設定あるいは削除に関する処理を行い、これらの処理に必要な情報をパス管理データとしてデータベース４０３に格納してこれを管理する。このとき、パス管理部２１１は、上述したルート探索部２１９の機能を利用して、クライアントネットワークにおいて設定すべき経路に関する経路情報を収集し、一方、サーバネットワークにおいて設定すべき経路に関する情報を、デフォルトルート管理データを検索することによって得る。
【００３０】
以下、図１に示したネットワーク管理システムの動作を詳細に説明する。
図２に、アクセスポイント管理データおよびデフォルトルート管理データを作成する動作を表す流れ図を示す。
図１に示したデータベース４０３には、図９に示したネットワーク管理データおよびアクセスポイント管理データと同様に、被監視ネットワークの構成に関する情報が格納されている。ここで、図１に示したアクセスポイント管理データは、個々のアクセスポイントを識別する情報やそのアクセスポイントの特徴を表す情報に加えて、各アクセスポイントが属しているグループを示すグループ識別情報を含んで構成される。
【００３１】
まず、デフォルトルート管理部２１７は、データベース４０３に登録された全てのアクセスポイントから選択した２つのアクセスポイントに関する情報をパラメータとして含む経路探索要求を発行し、ルート探索部２１９にこれらのアクセスポイントを結ぶ経路の探索を要求する（ステップ３０１）。この要求に応じて、ルート探索部２１９は、ネットワーク管理データに基づいて、経路探索要求で指定された２つのアクセスポイントを結ぶ経路を、一般的な経路探索アルゴリズムに従って探索する（ステップ３０２）。
【００３２】
ルート探索部２１９から２つのアクセスポイントを結ぶ経路を示す経路情報が返された場合（ステップ３０３の肯定判定）に、デフォルトルート管理部２１７は、上述した２つのアクセスポイントそれぞれを示す識別情報（以下、アクセスポイント名と称する）の組み合わせに対応して、探索された経路を表す経路情報を含むデフォルトルート管理データをデータベース４０３に登録する（ステップ３０４）。
【００３３】
このとき、アクセスポイント管理部２１２は、デフォルトルート管理部２１７から上述した２つのアクセスポイント名を受け取り、この２つのアクセスポイントに関するアクセスポイント管理データに含まれているグループ識別情報に、同一のグループ名を示す情報を格納し、これらのアクセスポイントが同一のグループに属していることを示す（ステップ３０５）。例えば、アクセスポイント管理データの一方に既にグループ名を示す情報が含まれていた場合に、アクセスポイント管理部２１２は、他方のアクセスポイント管理データのグループ識別情報に同一のグループ名を格納する。一方、いずれのアクセスポイント管理データにもグループ名が格納されていない場合に、アクセスポイント管理部２１２は、システムにおいて一意のグループ名を新たに与え、これをグループ識別情報として二つのアクセスポイント管理データのグループ識別情報に格納する。
【００３４】
一方、２つのアクセスポイントを結ぶ経路が存在しない旨の探索結果がルート探索部２１９から返された場合（ステップ３０３の否定判定）には、上述したステップ３０４およびステップ３０５の処理はスキップされ、ステップ３０６において、全てのアクセスポイントの組み合わせについてデフォルトルートの探索を行ったか否かが判定される。
まだデフォルトルートを探索していないアクセスポイントの組み合わせがある場合（上述したステップ３０６の否定判定）に、処理は、ステップ３０１に戻り、アクセスポイントの新たな組み合わせについてデフォルトルートの探索を行う。
【００３５】
例えば、図８(ａ)に符号ａ１〜ａ６を付して示した全てのアクセスポイントの組み合わせについて上述したステップ３０１〜ステップ３０５が実行されると、アクセスポイントａ１、ａ２を互いに結ぶデフォルトルートおよびアクセスポイントａ３〜ａ６を互いに結ぶデフォルトルートに関するデフォルトルート管理データがデータベース４０３に登録される。また、図３(ａ)、(ｂ)に示すように、アクセスポイントａ１、ａ２に対応するアクセスポイント管理データおよびアクセスポイントａ３〜ａ６に対応するアクセスポイント管理データに、それぞれグループ識別情報（グループ１）およびグループ識別情報（グループ２）が設定され、アクセスポイントａ１、ａ２と、アクセスポイントａ３〜ａ６とが、それぞれ異なるグループに属していることが示される。このようにして、デフォルトルート管理データの作成処理およびアクセスポイント管理データのグループ分け処理が完了する。
【００３６】
次に、上述したようにしてデータベース４０３に登録されたデフォルトルート管理データを利用して、サーバネットワークを経由するパスを設定する動作について説明する。
例えば、オペレータがオペレータ端末を介して、図８(ａ)に示したノード１とノード８とを結ぶパスの設定を要求すると、この要求は、ユーザインタフェース部４０６を介してパス管理部２１１に渡される。
【００３７】
このとき、パス管理部２１１は、まず、ルート探索部２１９の機能を利用して、ノード１およびノード８から最寄りのアクセスポイントを探索し、該当するアクセスポイントを示す情報とともにそれぞれのアクセスポイントに至る経路を示す経路情報を受け取る。
次に、パス管理部２１１は、データベース４０３に格納されたデフォルトルート管理データから、この探索によって得られたノード１に対応するアクセスポイントａ３とノード８に対応するアクセスポイントａ４とに対応するデフォルトルート（図３に示したルート２）を検索する。
【００３８】
パス管理部２１１は、デフォルトルート管理データから検索したデフォルトルートを表すサーバネットワークにおける経路情報と、ルート探索部２１９による探索結果として得られたクライアントネットワークにおける経路情報とに基づいて、パス設定に必要な処理を実行し、また、ユーザインタフェース部４０６を介して実行結果をオペレータに返す。
このように、図１に示したネットワーク管理システムでは、サーバネットワークを経由するパスの設定を行う際に、サーバネットワークにおけるパスを設定することが可能なアクセスポイントの組み合わせの全てについてデータベース４０３に登録されたデフォルトルート管理データから、適切なデフォルトルートを検索することによって、必要な経路情報を得ることができる。
【００３９】
つまり、パス設定要求のたびにサーバネットワークにおける経路を探索する必要がないので、オペレータからのパス設定要求に応じて、適切な経路を示す経路情報を極めて迅速に返すことができる。
次に、被監視ネットワークにおける構成の変化を、アクセスポイント管理データおよびデフォルトルート管理データに反映させる方法について説明する。
【００４０】
アクセスポイントは、レイヤ間リンクの生成（削除）をトリガとして生成（削除）され、これに応じて、アクセスポイント管理部２１２は、データベース４０３内のアクセスポイント管理データを更新する。また、アクセスポイント生成（削除）時には、同時に、デフォルトルート管理部２１７により、デフォルトルートが生成（削除）され、この結果に応じて、デフォルトルート管理部２１７により、データベース４０３内のデフォルトルート管理データの更新が行われる。
【００４１】
図４に、アクセスポイント生成にかかわる処理シーケンスを示す。
このシーケンスの開始トリガは、オペレータ操作や伝送装置からの通知になどにより、ネットワーク管理部４０１がレイヤ間リンクの生成を検出することである（図４に符号４−１を付して示す）。レイヤ間リンクが生成されたことを検出すると、ネットワーク管理部４０１は、パラメータとして、生成されたリンク名、終端点名および接続されたレイヤを示す情報を付加したアクセスポイント生成要求を発行し、アクセスポイント管理部２１２に対しアクセスポイントの生成を要求する（図４に符号４−２を付して示す）。
【００４２】
アクセスポイント管理部２１２は、この要求に応じて、アクセスポイントのインスタンスを一つ生成するとともに、データベース４０３に保持されたアクセスポイント管理データの中から各グループについてそれぞれ一つアクセスポイントを選び出す（図４に符号４−３を付して示す）。このとき、アクセスポイント管理部２１２は、例えば、各グループに属するアクセスポイントを示すリストの一番上にあるものを選択する。次に、アクセスポイント管理部２１２は、新たに生成したアクセスポイントを示す情報と、各グループから選び出したアクセスポイントそれぞれを示す情報とをパラメータとして付加した接続確認要求をルート探索部２１９に対して発行し、パラメータで指定した二つのアクセスポイントが繋がっているかどうかの調査を要求する（図４に符号４−４を付して示す）。
【００４３】
ルート探索部２１９は、データベース４０３に保持されたネットワーク管理データを使い、パラメータで指定された二つのアクセスポイントをサーバネットワークにおいて結ぶルートを探索し（図４に符号４−５を付して示す）、接続ルートの有無をパラメータとして含む接続確認応答をアクセスポイント管理部２１２に返す（図４に符号４−６を付して示す）。
【００４４】
アクセスポイント管理部２１２は、接続ルートがある旨の接続確認応答が返されたときに、新たに生成したアクセスポイントにかかわるインスタンスのグループ識別情報として、接続が確認された既存のアクセスポイントが属しているグループを示すグループ名を付加し、これをアクセスポイント管理データの新たなレコードとして登録する。一方、図４において符号４−３で示した手順で選択された全てのアクセスポイントに関する接続確認要求に対して、接続ルートが存在しない旨の応答が返された場合に、アクセスポイント管理部２１２は、新たなアクセスポイントにかかわるインスタンスのグループ識別情報として、新規のグループを示すグループ名を付加し、これをアクセスポイント管理データの新たなレコードとして追加する（図４に符号４−７を付して示す）。このようにしてアクセスポイントの生成が完了した後に、アクセスポイント管理部２１２は、アクセスポイント生成応答により、ネットワーク管理部４０１にアクセスポイント生成が完了したことを通知する（図４に符号４−８を付して示す）。
【００４５】
次に、アクセスポイント管理部２１２は、デフォルトルート管理部２１７に対し、新たに生成したアクセスポイントと既存のアクセスポイントとの間のデフォルトルート生成を要求する（図４に符号４−９を付して示す）。この時、アクセスポイント管理部２１２は、新規のアクセスポイントと同じグループに属する既存のアクセスポイントのリストを、デフォルトルート生成要求のパラメータとしてデフォルトルート管理部２１７に渡す。
【００４６】
これに応じて、デフォルトルート管理部２１７は、既存のアクセスポイントのリストから順次に一つを選択し（図４に符号４−１０を付して示す）、選択した既存のアクセスポイントを示す情報と新規のアクセスポイントを示す情報とをパラメータとして含むルート探索要求を発行し、これらのアクセスポイントを結ぶルートの探索をルート探索部２１９に要求する（図４に符号４−１１を付して示す）。
【００４７】
図４に符号４−１０を付して示された手順において順次に選択された各アクセスポイントにかかわるルート探索要求に応じて、ルート探索部２１９は、ネットワーク管理データを使用して、パラメータで指定された二つのアクセスポイントを結ぶ最短経路をそれぞれ探索し（図４に符号４−１２を付して示す）、終端点およびリンクのリストで表される経路情報および総コストをパラメータとして含むルート探索応答をデフォルトルート管理部２１７に応答する（図４に符号４−１３を付して示す）。また、デフォルトルート管理部２１７は、ルート探索応答が返されるごとに、デフォルトルート管理データに新たに探索されたデフォルトルートを表すレコードを追加する（図４に符号４−１４を付して示す）。このようにして、デフォルトルート生成要求で指定されたリスト中の既存アクセスポイントとの間のデフォルトルートの全てが探索された後、デフォルトルート管理部２１７は、アクセスポイント管理部２１２に対してデフォルトルート生成応答を返し、デフォルトルート生成が完了したことを通知する（図４に符号４−１５を付して示す）。
【００４８】
このようにして、被監視ネットワークにおけるレイヤ間リンクの生成に応じて、アクセスポイント管理データおよびデフォルトルート管理データが更新され、新たなアクセスポイントに関する情報とともに、この新たなアクセスポイントにかかわるデフォルトルートを準備される。
特に、上述したようにして、アクセスポイントをグループごとに管理することにより、レイヤ間リンクの生成に伴ってデフォルトルートを探索する範囲を、新たに生成されたアクセスポイントが追加されたグループに限定することができる。これにより、新たに生成されたアクセスポイントと物理的に接続することができないアクセスポイントとの間の経路探索処理を予め省略することができるので、デフォルトルート管理データを更新する処理を高速化することができる。
【００４９】
また、図５にアクセスポイント削除シーケンスを示す。
このシーケンスの開始トリガは、オペレータ操作や伝送装置からの通知になどにより、ネットワーク管理部４０１がレイヤ間リンクの削除を検出することである（図５に符号５−１を付して示す）。ネットワーク管理部４０１は、レイヤ間リンクが削除されたことを検出すると、パラメータとして、削除されたリンク名、終端点名および接続されたレイヤを示す情報を付加したアクセスポイント生成要求を発行し、アクセスポイント管理部２１２に対しアクセスポイントの削除を要求する（図５に符号５−２を付して示す）。
【００５０】
この要求に応じて、アクセスポイント管理部２１２は、デフォルトルート管理部２１７に対して、パラメータとしてアクセスポイント名を含むデフォルトルート削除要求を発行し、このアクセスポイントにかかわるデフォルトルートの削除を要求する（図５に符号５−３を付して示す）。
デフォルトルート管理部２１７は、デフォルトルート削除要求で指定されたアクセスポイント名を含むレコードをデフォルトルート管理データから検索し、該当するレコードをデフォルトルート管理データから削除する（図５に符号５−４を付して示す）。このようにしてレコードを削除した後に、デフォルトルート管理部２１７は、アクセスポイント管理部２１２にデフォルトルート削除応答を返し、デフォルトルートの削除が完了したことを通知する（図５に符号５−５を付して示す）。
【００５１】
この応答に応じて、アクセスポイント管理部２１２は、アクセスポイント管理データから上述したアクセスポイントにかかわるレコードを削除し（図５に符号５−６を付して示す）、次いで、ネットワーク管理部４０１にアクセスポイントの削除が完了した旨のアクセスポイント削除応答を返す（図５に符号５−７を付して示す）。
このようにして、レイヤ間リンクの削除に伴って、関連するアクセスポイントとともに、このアクセスポイントを一方の端点とするデフォルトルートを削除し、被監視ネットワークにおけるネットワーク構成の変化をアクセスポイント管理データおよびデフォルトルート管理データに反映し、以降の処理に備えることができる。
【００５２】
ところで、サーバネットワークにおけるリンクが生成または削除された場合には、アクセスポイントが属するグループの統合あるいは分離が発生する可能性がある。また、グループの統合または分離が発生しなかった場合は、新たなリンクにかかわるグループにおいて、また、グループの統合または分離が発生した場合には、統合または分離にかかわる全てのグループについて、それぞれに属するアクセスポイント間を結ぶ最短ルートが変化している可能性がある。
【００５３】
次に、サーバネットワークのリンクが追加あるいは削除された場合に、アクセスポイントに関するグループを再編成するとともに、最適なデフォルトルートを探索する方法について説明する。
図６は、リンク生成によるグループ更新動作を表す流れ図である。
オペレータ操作や伝送装置からの通知などに基づいて、サーバネットワークにおけるリンクが生成されたことを検出した際に、図１に示したネットワーク管理部２０１は、まず、ネットワーク管理データおよびアクセスポイント管理データに基づいて、新たに生成されたリンクの一方の端点である終端点１および他方の端点である終端点２に繋がっているアクセスポイントをそれぞれ探索する（ステップ３１１、３１２）。次に、ネットワーク管理部４０１は、終端点１および終端点２に対応して探索された２つのアクセスポイントに対応するアクセスポイント管理データを参照し、それぞれに対応するレコードに含まれるグループ識別情報が異なっているか否かを判定する（ステップ３１３）。
【００５４】
終端点１および終端点２に対応して探索されたアクセスポイントに対応するアクセスポイント管理データのレコードが同じグループ名を含んでいる場合、すなわち、同じグループに繋がっている場合および終端点１または終端点２がアクセスポイントと繋がっていない場合（ステップ３１３の否定判定）は、グループを統合する処理は不要であるので、この処理はこのまま終了する。
【００５５】
一方、新たなリンクによって接続される前の終端点１および終端点２が異なるグループに繋がっている場合（ステップ３１３の肯定判定）に、ネットワーク管理部２０１は、生成されたリンクにより二つのグループが繋がったと判断し、アクセスポイント管理部２１２に、終端点２に対応して探索されたアクセスポイントが属する終端点２側のグループを終端点１に対応して探索されたアクセスポイントが属するグループ終端点１側のグループに統合する旨を指示する（ステップ３１４）。これに応じて、アクセスポイント管理部２１２は、終端点２側のグループに含まれる全てのアクセスポイントに対応するレコードのグループ名を、終端点１側のグループを示すグループ名に変更する処理をアクセスポイント管理データに対して行う（ステップ３１５）。
【００５６】
次いで、アクセスポイント管理部２１２は、デフォルトルート管理部２１７に対し、統合されたグループに属するアクセスポイントに関するデフォルトルートの再探索を要求し、この要求に応じて、デフォルトルート管理部２１７は、ルート探索部２１９の機能を利用して必要なルートの探索を行い（ステップ３１６）、デフォルトルート管理データを更新する（ステップ３１７）。
【００５７】
このようにして、サーバネットワークにおける新たなリンクの生成に伴って、デフォルトルート管理データを更新することにより、ネットワークの構成の変化に対応して、常に、最適のデフォルトルートを提供することができる。
特に、上述したようにして、新たなリンクによって異なるグループに属していたアクセスポイントが互いに接続可能となったときに、これらのグループを統合して一つのグループを編成し、この新たなグループについてデフォルトルートを改めて探索することにより、設定可能な経路をもれなく、しかも、無駄な処理を行うことなく探索し、必要十分なデフォルトルート管理データを用意することができる。
【００５８】
なお、上述したステップ３１２における探索結果によって、新たに生成されたリンクにかかわる終端点が同一グループに属するアクセスポイントに繋がっているとされた場合に、グループの統合に関する処理（ステップ３１４，３１５）をスキップし、ステップ３１６と同様にして、グループ内において、新たなリンクを含めたネットワークにおける最短経路を改めて探索することもできる。
【００５９】
一方、サーバネットワークのリンクが削除された場合にも、以下のようにして、アクセスポイントのグループを再編成する処理およびデフォルトルートを再探索する処理が行われる。
図７に、リンク削除によるグループ更新動作を表す流れ図である。
オペレータ操作や伝送装置からの通知になどによりリンクが削除されたことを検出すると、ネットワーク管理部２０１は、ルート探索部２１９の機能を利用して、削除されたリンクの一方の端点である終端点１および他方の端点である終端点２とそれぞれ繋がっているアクセスポイントの探索を行う（ステップ３２１，３２２）。次に、ネットワーク管理部４０１は、終端点１および終端点２に対応して探索された２つのアクセスポイントに対応するアクセスポイント管理データを参照し、それぞれに対応するレコードに含まれるグループ識別情報に基づいて、グループの再編成が必要であるか否かを判定する（ステップ３２３）。
【００６０】
終端点１または終端点２がアクセスポイントと繋がっていない場合のように、終端点１および終端点２に対応して探索されたアクセスポイントに対応するアクセスポイント管理データのレコードが同じグループ名を含んでいない場合に、ネットワーク管理部２０１は、グループの再編成に関する処理は不要であると判断し（ステップ３２３の否定判定）、この処理をこのまま終了する。
【００６１】
一方、２つのアクセスポイントに対応するグループ名が同一である場合は、削除されたリンクが存在していたときのサーバネットワークにおいて終端点１および終端点２が同一のグループに繋がっており、リンクの削除によってこのグループが分断された可能性がある。
この場合に、ネットワーク管理部２０１は、リンクの削除に応じてグループの再編成が必要となったと判断し（ステップ３２３の肯定判定）、グループを再編成するための処理を開始する。
【００６２】
まず、ネットワーク管理部２０１は、ルート探索部２１９の機能を利用して、上述したステップ３２１，３２２において探索された２つのアクセスポイントを結ぶ経路を探索する（ステップ３２４）。ルート探索部２１９から、この２つのアクセスポイントを結ぶ経路が存在する旨の応答が返された場合（ステップ３２５の肯定判定）に、ネットワーク管理部２０１は、これらのアクセスポイントは、リンクの削除にかかわらず同一のグループに属していると判断して処理を終了する。一方、ステップ３２５の否定判定の場合に、ネットワーク管理部２０１は、リンクの削除によって、上述した２つのアクセスポイントが属していたグループが分断されたと判断し、アクセスポイント管理部２１２に、グループの再編成を要求する。
【００６３】
この要求に応じて、アクセスポイント管理部２１２は、まず、ルート探索部２１９の機能を利用して、削除されたリンクの終端点の一方（例えば、終端点２）に繋がる全てのアクセスポイントを探索する（ステップ３２６）。次に、アクセスポイント管理部２１２は、ルート探索部２１９からの応答で得られたアクセスポイントのリストに基づいて、これらのアクセスポイントにかかわるアクセスポイント管理データのグループ識別情報として、新たなグループ名を登録することにより、これらのアクセスポイントを元のグループから分離して新たなグループとして登録する（ステップ３２７）。
【００６４】
次いで、アクセスポイント管理部２１２は、デフォルトルート管理部２１７に対し、元のグループに属するアクセスポイントと新たに登録されたグループに属するアクセスポイントに関してそれぞれデフォルトルートの再探索を要求する。この要求に応じて、デフォルトルート管理部２１７は、ルート探索部２１９の機能を利用して、上述した２つのグループについて、それぞれに属するアクセスポイントを互いに結ぶ必要なルートの探索を行い（ステップ３２８）、得られた探索結果に基づいてデフォルトルート管理データを更新する（ステップ３２９）。
【００６５】
このように、サーバネットワークにおけるリンクの削除によって、サーバネットワークが分断された場合などに、アクセスポイントに関するグループの再編成およびデフォルトルートの再探索を行って、サーバネットワークの構成の変化をアクセスポイント管理データおよびデフォルトルート管理データに適切に反映し、以降のパス設定処理に備えることができる。
【００６６】
上述したように、アクセスポイントをグループごとに管理することにより、リンクが削除された際に、その影響が及ぶ範囲を容易に特定することが可能であるので、デフォルトルート管理データの更新にかかわる処理を高速化することができる。
また、上述したステップ３２５の肯定判定の場合に、更に、削除されるリンクがデフォルトルートに含まれているか否かを判定し、削除されるリンクを含むデフォルトルートが存在する場合には、このグループに関するデフォルトルートの再探索を行って、デフォルトルート管理データの最適化を図ることもできる。
【００６７】
以上の説明に関して、更に、以下の各項を開示する。
（付記１）  クライアントネットワークとサーバネットワークとからなる複合ネットワークを管理するネットワーク管理システムにおいて、クライアントネットワークおよびサーバネットワークを構成する構成要素およびそのつながりに関するネットワーク管理データを保持する管理情報保持手段と、管理情報保持手段に保持されたネットワーク管理データによってクライアントネットワークとサーバネットワークとの接続点であることが示されるアクセスポイントに関する情報を保持する接続点情報保持手段と、接続点情報保持手段に保持されたアクセスポイントに関する情報および管理情報保持手段に保持されたネットワーク管理データに基づいて、予め、全てのアクセスポイントの組み合わせについて、それぞれ適切な経路を探索する経路探索手段と、全てのアクセスポイントの組み合わせについて経路探索手段によって探索された経路をデフォルトルートとして保持するデフォルトルート保持手段と、サーバネットワークにおける経路を設定する際に、経路の端点となるアクセスポイントの組み合わせについてデフォルトルート保持手段に保持されたデフォルトルートを検索するルート検索手段とを備えたことを特徴とするネットワーク管理システム。
【００６８】
（付記２）  管理情報保持手段に保持されたネットワーク管理データに基づいて、接続点情報保持手段に保持された情報で示される全てのアクセスポイントについて互いに物理的に接続可能であるか否かを調べ、この結果に基づいて全てのアクセスポイントを少なくとも一つのグループに分類し、それぞれのグループに属するアクセスポイントに関する情報を接続点情報保持手段にグループごとに保持させる分類手段を備えたことを特徴とする付記１に記載のネットワーク管理システム。
【００６９】
（付記３）  管理情報保持手段に保持されたネットワーク管理データが更新されたときに、更新されたネットワーク管理データに基づいて、接続点情報保持手段に保持されたアクセスポイントに関する情報を更新する更新手段と、更新手段によってアクセスポイントに関する情報に関する更新および管理情報保持手段におけるサーバネットワークに関するネットワーク管理データの更新に応じて、分類手段に接続点情報保持手段の記憶内容の再編成を指示する再編成指示手段とを備えた付記２に記載のネットワーク管理システム。
【００７０】
（付記４）  管理情報保持手段に保持されたネットワーク管理データが更新されたときに、更新されたネットワーク管理データに基づいて、接続点情報保持手段に保持されたアクセスポイントに関する情報を更新する更新手段と、更新手段によって新たなアクセスポイントが接続点情報保持手段に保持されたときに、経路探索手段に新たなアクセスポイントに関するデフォルトルートの探索を指示する探索指示手段と、探索指示手段による指示に応じて経路探索手段によって新たなアクセスポイントに対応して探索されたデフォルトルートをデフォルトルート保持手段に追加するルート追加手段とを備えたことを特徴とする付記１に記載のネットワーク管理システム。
【００７１】
（付記５）  管理情報保持手段に保持されたネットワーク管理データに基づいて、接続点情報保持手段に保持された情報で示される全てのアクセスポイントについて互いに物理的に接続可能であるか否かを調べ、この結果に基づいて全てのアクセスポイントを少なくとも一つのグループに分類し、それぞれのグループに属するアクセスポイントに関する情報を接続点情報保持手段にグループごとに保持させる分類手段と、更新手段によってアクセスポイントに関する情報に関する更新および管理情報保持手段におけるサーバネットワークに関するネットワーク管理データの更新に応じて、分類手段に接続点情報保持手段の記憶内容の再編成を指示する再編成指示手段とを備え、探索指示手段は、再編成指示手段による指示に応じて分類手段によって再編成された接続点情報保持手段から新たに追加されたアクセスポイントが属するグループに含まれているアクセスポイントに関する情報を抽出する抽出手段と、抽出手段によって抽出された情報で示される各アクセスポイントと新たに追加されたアクセスポイントとを結ぶ経路に限定した探索を経路探索手段に指示する限定指示手段とを備えたことを特徴とする付記３に記載のネットワーク管理システム。
【産業上の利用可能性】
【００７２】
本発明にかかわるネットワーク管理システムは、クライアントネットワークとサーバネットワークのように階層化されたネットワークであって、特に、各階層のネットワークが異なる伝送技術に基づいて構築された複合ネットワークにおいて、複数の階層を経由するパスを迅速に設定することが可能である。したがって、このような特徴を持つ複合ネットワークを統合管理するネットワーク管理システムとして非常に有用である。
【図面の簡単な説明】
【００７３】
【図１】本発明にかかわるネットワーク管理システムの第１の実施形態を示す図である。
【図２】アクセスポイント管理データおよびデフォルトルート管理データを作成する動作を表す流れ図である。
【図３】デフォルトルート管理データおよびアクセスポイント管理データの例を示す図である。
【図４】アクセスポイント生成にかかわる処理シーケンスを示す図である。
【図５】アクセスポイント削除シーケンスを示す図である。
【図６】リンク生成によるグループ更新動作を表す流れ図である。
【図７】リンク削除によるグループ更新動作を表す流れ図である。
【図８】複合ネットワークを説明する図である。
【図９】階層的なネットワークを統合管理するネットワーク管理システムの構成例を示す図である。
【図１０】ネットワーク管理データを説明する図である。
【符号の説明】
【００７４】
２０１、４０１  ネットワーク管理部
２１０  ネットワーク管理システム（ＮＭＳ）
２１１、４０５  パス管理部
２１２、４０４  アクセスポイント管理部
２１９  ルート探索部
２１７  デフォルトルート管理部
４０２  通信制御部
４０３  データベース
４０６  ユーザインタフェース部
４１１  経路探索部
【図１】
2005094222.tif 000003
【図２】
2005094222.tif 000004
【図３】
2005094222.tif 000005
【図４】
2005094222.tif 000006
【図５】
2005094222.tif 000007
【図６】
2005094222.tif 000008
【図７】
2005094222.tif 000009
【図８】
2005094222.tif 000010
【図９】
2005094222.tif 000011
【図１０】
2005094222.tif 000012